(57)【特許請求の範囲】
【請求項１】
長面の側板(1)及び短面の側板(2)を各一対交互に連設して周壁を形成し、各側板(1,2)にそれぞれ封緘用のフラップ(4,5)を連設した段ボール箱において、全フラップ(4,5)を開き、周壁の対角に位置する稜線に沿って二重に折り畳んだ状態で、一方の重合面をなす長面のフラップ(4)に、他方の重合面をなす長面と短面のフラップ(4,5)間の溝に一致する折目線(6)を入れ、この折目線(6)に沿って四重に折り畳んだ状態を維持するロック機構として、一対のフラップ(4)にそれぞれ係合片(7)及び係合穴(8)を切り込んで設けると共に、他対のフラップ(5)にそれぞれ指入用の切欠部(11)及び係合片(7)の通過用の切欠部(12)を設け、四重に折り畳んだ状態で、指入用の切欠部(11)を有するフラップ(5)が一方の外側となり、このフラップ(5)の内側に係合片(7)を有するフラップ(4)及び係合片(7)の通過用の切欠部(12)を有するフラップ(5)が順次重なり、係合穴(8)を有するフラップ(4)が他方の外側となって、指入用の切欠部(11)から指を入れ、係合片(7)を通過用の切欠部(12)を介して係合穴(8)に押し込むと、折畳状態が維持されるようにしたことを特徴とする折畳ロック付き段ボール箱。
【発明の詳細な説明】
【技術分野】
【０００１】
この発明は、解体後、折り畳んだ状態でロックできる段ボール箱に関するものである。
【背景技術】
【０００２】
従来、長面の側板及び短面の側板を各一対交互に連設して周壁を形成し、各側板にそれぞれ封緘用のフラップを連設した段ボール箱において、周壁の対角に位置する稜線に沿って二重に折り畳んだ状態で、一方の重合面をなすフラップに係合片を、他方の重合面をなすフラップに係合穴をそれぞれ切込により設け、係合片を係合穴に押し込んで、折畳状態を維持するようにしたロック機構付きのものが提案されている（下記特許文献１参照）。
【０００３】
【特許文献１】特開２００３−１２８０４５号公報
【発明の開示】
【発明が解決しようとする課題】
【０００４】
しかしながら、大型の段ボール箱では、上記のようなロック機構を設けても、十分に小さく折り畳むことができず、廃棄に伴う家庭での一時保管や再生回収品の集積場への運搬等に際し、嵩張って取り扱いにくいという問題がある。
【０００５】
そこで、この発明は、嵩張らないように折り畳んだ状態で容易に廃棄できる折畳ロック付き段ボール箱を提供することを課題とする。
【課題を解決するための手段】
【０００６】
上記課題を解決するため、この発明は、長面の側板及び短面の側板を各一対交互に連設して周壁を形成し、各側板にそれぞれ封緘用のフラップを連設した段ボール箱において、全フラップを開き、周壁の対角に位置する稜線に沿って二重に折り畳んだ状態で、一方の重合面をなす長面のフラップに、他方の重合面をなす長面と短面のフラップ間の溝に一致する折目線を入れ、この折目線に沿って四重に折り畳んだ状態を維持するロック機構として、一対のフラップにそれぞれ係合片及び係合穴を切り込んで設けると共に、他対のフラップにそれぞれ指入用の切欠部及び係合片の通過用の切欠部を設け、四重に折り畳んだ状態で、指入用の切欠部を有するフラップが一方の外側となり、このフラップの内側に係合片を有するフラップ及び係合片の通過用の切欠部を有するフラップが順次重なり、係合穴を有するフラップが他方の外側となって、指入用の切欠部から指を入れ、係合片を通過用の切欠部を介して係合穴に押し込むと、折畳状態が維持されるようにしたのである。
【発明の効果】
【０００７】
この折畳ロック付き段ボール箱は、長面のフラップに入れた折目線に沿って簡単に四重に折り畳むことができ、ロック機構によりその折畳状態を維持できるので、廃棄に伴う一時保管や運搬に際し、嵩張ることがなく、容易に取り扱うことができる。
【発明を実施するための最良の形態】
【０００８】
以下、この発明の実施形態を添付図面に基づいて説明する。
【０００９】
図１に示すように、この段ボール箱のブランクでは、長面の側板１及び短面の側板２が各一対交互に連設され、一方の側板１の外側には継代片３が連設されている。側板１，２の上下端にはそれぞれフラップ４，５が連設され、一方の側板１の上下に繋がるフラップ４には、縦方向の折目線６が切刃により入れられている。折目線６の位置は、このフラップ４と隣り合うフラップ５との間の溝からフラップ５の幅だけ離れている。
【００１０】
上側の一方のフラップ４には係合片７が、他方のフラップ４には係合穴８がそれぞれ先端からの切込により設けられている。係合片７には、撓みを容易にするため、２本の斜め方向の折目線９が先端へ向けて間隔が狭くなるように入れられ、係合穴８の両側縁には扉片１０が設けられている。
【００１１】
上側の一方のフラップ５の先端縁には、指入用の切欠部１１が設けられ、他方のフラップ５の外角部には、係合片７を通過させる切欠部１２が設けられている。また、側板２には把手穴１３が設けられている。
【００１２】
上記のようなブランクを箱に組み立てるには、図２に示すように、各一対の側板１，２を角筒状に折り曲げ、継代片３を反対側の側板２に貼り付けて周壁を形成する。そして、物品の梱包に際し、フラップ４，５により底面及び天面を封緘する。
【００１３】
一方、上記段ボール箱を解体して廃棄する際には、まず、天面及び底面の全てのフラップ４，５を開き、図３に示すように、周壁の対角に位置する稜線に沿って二重に折り畳んだ状態とする。このとき、一方の重合面をなすフラップ４の折目線６が、他方の重合面をなすフラップ４，５間の溝に一致する。
【００１４】
次に、図４に示すように、折目線６に沿って段ボール箱を四重に折り畳むと、段ボール箱は、外側の隣り合うフラップ４，５の抵抗を受けることなく、所定の位置で折り曲げられ、コンパクトな状態となる。
【００１５】
その後、切欠部１１から指を入れて、係合片７を巻き込むように折り曲げると、係合片７は、折目線９に沿って撓みつつ、切欠部１２を介して扉片１０を押し開き、係合穴８に押し込まれて、扉片１０の反発により、係合穴８から抜け止めされる。
【００１６】
このように、上記段ボール箱は、折目線６に沿って簡単に四重に折り畳むことができ、フラップ４，５に設けた係合片７と係合穴８及び切欠部１１，１２から成るロック機構により折畳状態が確実に維持されるので、廃棄に伴う一時保管や運搬に際し、嵩張ることがなく、容易に取り扱うことができる。
【００１７】
なお、この実施形態では、折目線６として、切刃により入れたものを例示したが、折目線６は、押罫としてもよい。また、上下のフラップ４に入れた折目線６を繋ぐように、一方の側板１に押罫を入れてもよい。
【００１８】
そのほか、係合片７と係合穴８とから成るロック機構は、上側だけでなく、上下両方のフラップ４に設けてもよく、対のフラップ５に係合片７と係合穴８とを設け、その間に挟まれるフラップ４に切欠部１２を設けてもよい。
【００１９】
また、係合片７及び係合穴８は、フラップ４又は５を先端側から切り込んで設けるのではなく、フラップ４又は５の内部を切り込んで設けてもよい。
【図面の簡単な説明】
【００２０】
【図１】この発明に係る折畳ロック付き段ボール箱のブランクを示す図
【図２】同上の周壁組立時の状態を示す斜視図
【図３】同上の二重に折り畳んだ状態を示す斜視図
【図４】同上の四重に折り畳んだ状態を示す斜視図
【符号の説明】
【００２１】
１，２  側板
３  継代片
４，５  フラップ
６  折目線
７  係合片
８  係合穴
９  折目線
１０  扉片
１１，１２  切欠部
１３  把手穴
【図１】
0004792283.tif 000002
【図２】
0004792283.tif 000003
【図３】
0004792283.tif 000004
【図４】
0004792283.tif 000005